(57)【要約】【課題】使用されていない電球ソケットを湿気や埃から保護する電球ソケットキャップを提供する。【解決手段】絶縁性材料からなる軸部１０と、軸部１０の一方の先端に設けられる頭部２０と、を有し、軸部１０が、少なくとも電球ソケットへの螺合が可能な雄ねじ部１２を有し、頭部２０が、軸部１０を回転させるための第一の回しつまみ部２１と、第一の回しつまみ部２１の上面上に設けられ第一の回しつまみ部２１と一体に回動する第二の回しつまみ部２２と、を有することを特徴とする、電球ソケットキャップ１。【選択図】図１
0003198779.tif 000002
【実用新案登録請求の範囲】
【請求項１】
絶縁性材料からなる軸部と、前記軸部の一方の先端に設けられる頭部と、を有し、
前記軸部が、少なくとも電球ソケットへの螺合が可能な雄ねじ部を有し、
前記頭部が、前記軸部を回転させるための第一の回しつまみ部と、前記第一の回しつまみ部の上面上に設けられ前記第一の回しつまみ部と一体に回動する第二の回しつまみ部と、を有することを特徴とする、電球ソケットキャップ。
【請求項２】
前記第一の回しつまみ部がラッパ状に形成されていることを特徴とする、請求項１に記載の電球ソケットキャップ。
【請求項３】
前記第一の回しつまみ部の上面に凹みが形成されていることを特徴とする、請求項１又は２に記載の電球ソケットキャップ。
【請求項４】
前記頭部と前記軸部との間に円筒部をさらに有することを特徴とする、請求項１〜３のいずれか一項に記載の電球ソケットキャップ。
【考案の詳細な説明】
【技術分野】
【０００１】
本考案は、電球ソケットキャップ、特に、使用されていない電球ソケットを保護するための電球ソケットキャップに関する。
【背景技術】
【０００２】
白熱電球は、１９世紀末より一般家庭用の照明として長く用いられてきた電気器具である。また白熱電球は、非常に安価であるだけでなく、調光の容易性、高輝度、設備が単純であること、良好な演色性等の特徴を有するため、照明器具として長い間世界中で使用されてきた（非特許文献１参照）。また白熱電球の使用に伴い、白熱電球用ソケットが開発され（例えば、特許文献１参照）、白熱電球と同様に長い間使用されてきた。
【０００３】
近年では、より省電力タイプの電球の開発が進められ、電球形蛍光ランプや電球形ＬＥＤランプが製品化されている。これらは、白熱電球と構造や点灯原理が異なるものであるが、白熱電球を代用するものとして、白熱電球用ソケットに取り付けられた態様で使用される。（例えば、非特許文献２、３参照）。
【０００４】
しかし、２０１１年３月の東日本大震災以降、電気料金の値上げや地球温暖化防止の潮流を受けて、省エネや節電を考える事業者や消費者が増えている。ここで省エネや節電の具体例として、例えば、使用頻度の低い場所での照明器具の取り外しや、明るすぎる場所での照明器具の間引き等が挙げられる。
【先行技術文献】
【特許文献】
【０００５】
【特許文献１】登録実用新案第４２１２９号明細書
【非特許文献】
【０００６】
【非特許文献１】牟田淳著、「あかりと照明のサイエンス」、オーム社、２０１１年、ｐ．９８
【非特許文献２】一般社団法人日本照明工業会「蛍光ランプガイドブック」ｐ．６（ｈｔｔｐ：／／ｗｗｗ．ｊｌｍａ．ｏｒ．ｊｐ／ｔｉｓｉｋｉ／ｐｄｆ／ｇｕｉｄｅ＿ｋｅｉｋｏｕ．ｐｄｆ）
【非特許文献３】一般社団法人日本照明工業会「電球形ＬＥＤランプガイドブック」ｐ．４（ｈｔｔｐ：／／ｗｗｗ．ｊｌｍａ．ｏｒ．ｊｐ／ｔｉｓｉｋｉ／ｐｄｆ／ｇｕｉｄｅ＿ｌｅｄ．ｐｄｆ）
【考案の概要】
【考案が解決しようとする課題】
【０００７】
ところで、白熱電球等が取り外されている電球ソケットはその内部が開放された状態になるが、電球ソケットの内部を長期間開放したままにすると、大気中の湿気によってこの電球ソケットの内部に設けられる金具に錆が発生したり、この電球ソケットの内部に埃等の異物が累積したりする。これによって電球ソケットとしての性能が著しく低下するおそれがある。
【０００８】
本考案は、上述した課題を解決するためになされるものであり、その目的は、使用されていない電球ソケットを湿気や埃から保護する電球ソケットキャップを提供することにある。
【課題を解決するための手段】
【０００９】
本考案の電球ソケットキャップは、絶縁性樹脂材料からなる軸部と、前記軸部の一方の先端に設けられる頭部と、を有し、
前記軸部が、少なくとも電球ソケットへの螺合が可能な雄ねじ部を有し、
前記頭部が、前記軸部を回転させるための第一の回しつまみ部と、前記第一の回しつまみ部の上面上に設けられ前記第一の回しつまみ部と一体に回動する第二の回しつまみ部と、を有することを特徴とする。
【００１０】
本考案においては、前記第一の回しつまみ部がラッパ状に形成されていることが好ましい。
【００１１】
本考案においては、前記第一の回しつまみ部の上面に凹みが形成されていてもよい。
【００１２】
本考案においては、前記頭部と前記軸部との間に円筒部をさらに有してもよい。
【考案の効果】
【００１３】
本考案によれば、使用されていない電球ソケットを湿気や埃から保護する電球ソケットキャップを提供することができる。また本考案の電球ソケットキャップは、２種類の回しつまみ部（第一の回しつまみ部、第二の回しつまみ部）を有し、この２種類の回しつまみ部によって電球ソケットへの取り付け及び電球ソケットからの取り外しをスムーズに行うことができる。
【図面の簡単な説明】
【００１４】
【図１】本考案の電球ソケットキャップにおける第一の実施形態を示す模式図であり、（ａ）は平面図、（ｂ）は正面図、（ｃ）は右側面図、（ｄ）は（ａ）中のＡＡ’で切断したときの断面図である。
【図２】本考案の電球ソケットキャップにおける第二の実施形態を示す模式図であり、（ａ）は平面図、（ｂ）は正面図、（ｃ）は右側面図、（ｄ）は（ａ）中のＢＢ’で切断したときの断面図である。
【図３】本考案の電球ソケットキャップにおける第三の実施形態を示す模式図であり、（ａ）は平面図、（ｂ）は正面図、（ｃ）は右側面図、（ｄ）は（ａ）中のＣＣ’で切断したときの断面図である。
【図４】本考案の電球ソケットキャップにおける第四の実施形態を示す模式図であり、（ａ）は平面図、（ｂ）は正面図、（ｃ）は右側面図、（ｄ）は（ａ）中のＤＤ’で切断したときの断面図である。
【図５】本考案の第四の実施形態の変形例を示す模式図である。
【図６】本考案の電球ソケットキャップにおける第五の実施形態を示す模式図であり、（ａ）は平面図、（ｂ）は正面図、（ｃ）は右側面図、（ｄ）は（ａ）中のＥＥ’で切断したときの断面図である。
【図７】本考案の第五の実施形態の変形例を示す模式図である。
【考案を実施するための形態】
【００１５】
以下、図面を参照しながら本考案の電球ソケットキャップの実施形態について説明する。ただし、本考案は、これら実施形態に限定されるものではない。
【００１６】
［実施形態１］
図１は、本考案の電球ソケットキャップにおける第一の実施形態を示す模式図であり、（ａ）は平面図、（ｂ）は正面図、（ｃ）は右側面図、（ｄ）は（ａ）中のＡＡ’で切断したときの断面図である。
【００１７】
図１の電球ソケットキャップ１は、軸部１０と、この軸部１０の一方の先端、具体的には、符号１１に示される先端とは反対側の先端に配設されている頭部２０と、を有している。本考案においては、電球ソケットキャップ１自体が電球と紛らわしいものにならないようにするために、電球ソケットキャップ１を構成する頭部２０は、電球とは異なる形状にするのが好ましい。尚、ここでいう「異なる」とは、頭部２０の形状が電球でも電球とは似通った形状でもない形状であること、言い換えると、頭部２０が電球に含まれる形状、即ち、球体や楕円球体等の球体に類似する形状を含まないことを意味する。
【００１８】
図１の電球ソケットキャップ１において、軸部１０には、雄ねじ部１２が設けられている。この雄ねじ部１２には丸ねじが形成されているが、この丸ねじのピッチは電球ソケットが有する雌ねじ部のピッチに合わせて設定される。また本考案において、雄ねじ部１２の外径は、図１の電球ソケットキャップ１を取り付ける電球ソケットが有する雌ねじ部の内径に合わせて適宜設計する。このように、電球ソケットが有する雌ねじ部の内径に合わせて雄ねじ部１２を形成することにより、雄ねじ部１２と電球ソケットが有する金具に設けられる雌ねじ部との螺合を可能にする。さらに本考案において、雄ねじ部１２の長さは、電球ソケットが有する雌ねじ部との螺合が可能であれば具体的な長さは特に限定されない。尚、本考案においては、軸部１０の先端１１及び雄ねじ部１２からなる部分は、電球ソケットに螺合していた電球の口金の形状に合わせるように形成されているのが好ましい。
【００１９】
ところで、図１の電球ソケットキャップ１を取り付ける際に、軸部１０、特に、先端１１や雄ねじ部１２は、電球ソケットの金具と接触するため、感電や漏電を防止する目的で、軸部１０は、絶縁性樹脂材料から形成される部材とする。本考案において、軸部１０の構成材料として用いられる絶縁性樹脂材料として、例えば、ＡＢＳ樹脂、ポリプロピレン、ポリカーボネート等が挙げられる。
【００２０】
図１の電球ソケットキャップ１において、頭部２０には、第一の回しつまみ部２１と、第２の回しつまみ部２２とが設けられている。
【００２１】
本考案において、第一の回しつまみ部２１の形状は、複数の指を用いて把持することができる形状であればよく、例えば、図１に示される円筒形状等が挙げられるが、この円筒形状に限定されるものではない。また図１の電球ソケットキャップ１において、第一の回しつまみ部２１の直径は、軸部１０の軸径とほぼ同じであるが、本考案において、第一の回しつまみ部２１の直径は特に限定されるものではないが、複数の指を用いると把持しやすい、と使用者が感じることができる程度の大きさであることが望ましい。さらに本考案において、第一の回しつまみ部２１の軸方向の長さは、第一の回しつまみ部２１を複数の指を用いて把持することができる程度の長さであれば特に限定されるものではない。
【００２２】
図１の電球ソケットキャップ１において、第二の回しつまみ部２２は、第一の回しつまみ部２１の上面上に配設されている。図１の電球ソケットキャップ１において、第二の回しつまみ部２２は、少なくとも２本の指（例えば、親指及び人差し指）でつまむことができる形状であれば、その具体的な形状については、特に限定されない。例えば、図１に示される略直方体等の角柱状が挙げられる。また本考案において第二の回しつまみ部２２の軸方向の長さは、少なくとも使用者の指先で第二の回しつまみ部２２をつまむことができる長さであれば特に限定されないが、使用者の指の腹で第二の回しつまみ部２２をつまむことができる程度の長さであることが好ましい。
【００２３】
また図１の電球ソケットキャップ１において、第二の回しつまみ部２２は、第一の回しつまみ部２１上で固定された状態で設けられている。このため、第二の回しつまみ部２２は、第一の回しつまみ部２１と一体に回動する。
【００２４】
本考案において、頭部２０の構成材料としては特に限定されるものではない。即ち、頭部２０の構成材料は、軸部１０の構成材料である絶縁性樹脂材料であってもよいし軸部１０の構成材料とは異なる材料であってもよい。
【００２５】
本考案において、図１の電球ソケットキャップ１を製造する方法として、特に限定されないが、例えば、軸部１０と頭部２０とを個別に作製してから軸部１０と頭部２０とを接着する方法（個別作製法）、軸部１０及び頭部２０とを一体成型する方法（一体成型法）等が挙げられる。尚、絶縁性樹脂材料からなる軸部１０は、絶縁性樹脂材料の成型方法として従来から用いられる方法により作製することができる。
【００２６】
ところで、軸部１０及び頭部２０を絶縁性樹脂材料で形成する場合は、上述した方法のいずれも採用することができるが、製造プロセスを短くすることができる点で、一体成型法が好ましい。また軸部１０及び頭部２０を一体成型する場合、肉厚になる軸部１０や第一の回しつまみ部２１については、図１（ｄ）に示されるように中空部分３０を設けると、図１の電球ソケットキャップ１を製造する際に用いられる絶縁性樹脂材料の量を節約できるので、好ましい。
【００２７】
図１の電球ソケットキャップ１は、例えば、以下に説明する方法により、白熱電球等が取り付けられておらず使用されていない電球ソケットに取り付けることができる。まず、第一の回しつまみ部２１を複数の指、例えば、親指、人差し指、中指及び薬指で把持しながら、電球ソケットキャップ１を先端１１から電球ソケットの内部へ挿入する。そして、第一の回しつまみ部２１を、白熱電球等を電球ソケットへ取り付ける際に白熱電球等を回す方向（右回り）へ回す。そうすると、雄ねじ部１２は、電球ソケット内部に設けられる雌ねじ部へ螺入される。そして、第一の回しつまみ部２１を把持しながら図１の電球ソケットキャップ１を回転させるだけ回転させた後、第二の回しつまみ部２２を複数の指（例えば、親指及び人差し指）でつまみながら図１の電球ソケットキャップ１をさらに同じ方向へ回転させる。そして、図１の電球ソケットキャップ１が回転できなくなった時点で雄ねじ部１２の電球ソケット内部に設けられる雌ねじ部への螺入が完了する。このとき、図１の電球ソケットキャップ１は、電球ソケットに螺合された状態となっており、また電球ソケットの内部は図１の電球ソケットキャップ１によってシールされた状態になる。このため、電球ソケットの内部に大気中の湿気等が入りにくい状態になる。従って、電球ソケット内部にある金具は、図１の電球ソケットキャップ１によって大気中の湿気や埃等から保護される。
【００２８】
一方、電球ソケットに螺合している図１の電球ソケットキャップ１は、第一の回しつまみ部２１及び第二の回しつまみ部２２を用いて電球ソケットから取り外すことができる。例えば、第二の回しつまみ部２２を複数の指でつまみながら、白熱電球等を電球ソケットから取り外す際に白熱電球等を回す方向（左回り）へ回すことで、雄ねじ部１２による電球ソケット内部に設けられる雌ねじ部への締め付けが緩和される。この後、第一の回しつまみ部２１を把持した状態で図１の電球ソケットキャップ１をさらに同じ方向（左回り）へ回すことで、図１の電球ソケットキャップ１を電球ソケットから取り外すことができる。
【００２９】
以上より、本考案の電球ソケットキャップは、頭部２０に設けられる２種類の回しつまみ部（２１、２２）を用いることで、電球ソケットから容易に着脱することができる。
【００３０】
［実施形態２］
図２は、本考案の電球ソケットキャップにおける第二の実施形態を示す模式図であり、（ａ）は平面図、（ｂ）は正面図、（ｃ）は右側面図、（ｄ）は（ａ）中のＢＢ’で切断したときの断面図である。尚、第一の実施形態で示されている部材と同じ部材については、同じ符号が付されている。
【００３１】
以下、本実施形態について、第一の実施形態との相違点を中心に説明する。
【００３２】
図２の電球ソケットキャップ２は、第一の回しつまみ部２１の形状が、軸部１０側から第一の回しつまみ部２１の上面側へ向かって直径が大きくなる形状、いわゆるラッパ状に形成されている点を除けば、図１の電球ソケットキャップ１と構成が共通している。
【００３３】
本実施形態のように、第一の回しつまみ部２１がラッパ状に形成されると、第一の回しつまみ部２１のフランジ部２１ａを把持した状態で電球ソケットキャップ２の電球ソケットへの取り付け及び取り外しを行うことができる。このとき当該フランジ部２１ａの直径は軸部１０の軸径よりも大きいため、本実施形態の第一の回しつまみ部２１は、第一の実施形態で説明した第一の回しつまみ部２１よりも把持しやすい形状となっている。
【００３４】
本実施形態において、当該フランジ部２１ａの直径は、軸部１０の軸径よりも大きければ特に限定されないが、使用者が五本の指を全て用いて自然に把持できる程度の大きさであるのが好ましい。
【００３５】
また本実施形態において、フランジ部２１ａは、図２に示されるように丸みを帯びた形状であるのが好ましい。フランジ部２１ａを、丸みを帯びた形状にすることで、使用者は、指を痛めずにフランジ部２１ａを把持することができる。
【００３６】
［実施形態３］
図３は、本考案の電球ソケットキャップにおける第三の実施形態を示す模式図であり、（ａ）は平面図、（ｂ）は正面図、（ｃ）は右側面図、（ｄ）は（ａ）中のＣＣ’で切断したときの断面図である。尚、第二の実施形態で示されている部材と同じ部材については、同じ符号が付されている。
【００３７】
以下、本実施形態について、第二の実施形態との相違点を中心に説明する。
【００３８】
図３の電球ソケットキャップ３は、第一の回しつまみ部２１の上面に凹みが形成されている点を除けば、図２の電球ソケットキャップ２と構成が共通している。
【００３９】
本実施形態のように、第一の回しつまみ部２１の上面に凹みが形成される場合、第一の回しつまみ部２１の上面上に第二の回しつまみ部２２を設ける際に、上記凹みに第二の回しつまみ部２２を収納させた状態で設けることができる。即ち、第一の回しつまみ部２１のフランジ部２１ａよりも突出させない態様で設けることができる。本実施形態のように第二の回しつまみ部２２が当該フランジ部２１ａよりも突出させないことで、図３の電球ソケットキャップ３は、平らな頭部２０側を下にすることで転がらない態様で静置させることができる。
【００４０】
本実施形態のように、第一の回しつまみ部２１の上面に凹みを形成する方法として、第一の回しつまみ部２１の上面をくり抜く等の方法により加工する方法が挙げられる。ここで図３の電球ソケットキャップ３を、絶縁性樹脂材料で作製する場合は、第一の回しつまみ部２１の上面にあらかじめ凹みを設けた金型を用意すればよい。
【００４１】
尚、本実施形態のように、第一の回しつまみ部２１の上面に凹みを形成して、第二の回しつまみ部２２が当該凹みによって形成された凹面上に設けられる場合、第二の回しつまみ部２２を少なくとも二本の指でつまむことができるように、第一の回しつまみ部２１の上面と第二の回しつまみ部２２との間に、使用者の指を入れるための空間２３を適宜確保しておくことが好ましい。例えば、図３に示されるように、第一の回しつまみ部２１の形状をラッパ状にして、第一の回しつまみ部２１の上面の凹みの一部を湾曲面にしたり、第二の回しつまみ部２２の形状を肉薄な形状にしたりする手法は、使用者の指を入れるための空間２３をより大きくすることになるため、好ましい。
【００４２】
［実施形態４］
図４は、本考案の電球ソケットキャップにおける第四の実施形態を示す模式図であり、（ａ）は平面図、（ｂ）は正面図、（ｃ）は右側面図、（ｄ）は（ａ）中のＤＤ’で切断したときの断面図である。尚、第二の実施形態と同じ部材については、同じ符号が付されている。
【００４３】
以下、本実施形態について、第二の実施形態との相違点を中心に説明する。
【００４４】
図４の電球ソケットキャップ４は、軸部１０と頭部２０との間に、円筒部４０がさらに設けられている点を除けば、図２の電球ソケットキャップ２と構成が共通している。
【００４５】
図４の電球ソケットキャップ４において、円筒部４０は、軸部１０と頭部２０とを連結する部材である。
【００４６】
本考案の電球ソケットキャップを、例えば、ダウンライト型、スポットライト型等の、電球と螺合する金具が奥まった所に設けられる照明器具で用いる場合、第一〜第三の実施形態では、電球ソケットキャップが有する雄ねじ部１２が上記金具に含まれる雌ねじ部に届きにくい。また当該雌ねじ部に届いたとしても頭部２０が奥まった金具に埋没して露出しない状態になるために着脱が困難となる。そこで、本実施形態のように、円筒部４０で電球ソケットキャップの長さを調節することによって、上述した照明器具に対して本考案の電球ソケットキャップを使用することができる。
【００４７】
図４の電球ソケットキャップ４は、例えば、軸部１０、円筒部４０及び頭部２０を一体成型することで製造することができるが、これに限定されるものではない。図５は、本実施形態（第四の実施形態）の変形例を示す模式図である。尚、図５において、（ａ）は、各部材の正面図であり、（ｂ）は、各部材の右側面図であり、（ｃ）は、各部材をそれぞれ装着した状態を表す断面図である。
【００４８】
図５（ａ）及び（ｂ）には、頭部２０を含むＡパーツ４ａ、円筒部４０を含むＢパーツ４ｂ及び軸部１０を含むＣパーツ４ｃが示されている。本実施形態に係る電球ソケットキャップ４は、図５に示されるように、軸部１０、円筒部４０又は頭部２０のいずれかを含むパーツ（４ａ、４ｂ、４ｃ）をそれぞれ作製し、Ａパーツ４ａ及びＢパーツ４ｂ、並びにＢパーツ４ｂ及びＣパーツ４ｃをそれぞれつなぎ合わせる方法でも作製することができる。ここでＡパーツ４ａ及びＢパーツ４ｂをつなぎ合わせる手段として、例えば、図５（ａ）〜（ｃ）に示されるように、円筒部４０の頭部２０側に設けられる孔部４３と頭部２０の円筒部４０側に設けられる爪部２４とで嵌合する手段が挙げられる。またＢパーツ４ｂ及びＣパーツ４ｃをつなぎ合わせる手段として、例えば、図５（ａ）〜（ｃ）に示されるように、円筒部４０の軸部１０側に設けられる爪部４１と軸部１０の円筒部４０側に設けられる孔部１３とで嵌合する手段が挙げられる。尚、図５（ａ）〜（ｃ）に示されるように、爪部２４及び孔部４３を用いてＡパーツ４ａとＢパーツ４ｂとをつなぎ合わせる場合、爪部２４の接合を容易にすることを目的として、爪部２４が設けられているＡパーツ４ａ側にガイド部２５を設けるのが好ましい。また、爪部４１及び孔部１３を用いてＢパーツ４ｂとＣパーツ４ｃとをつなぎ合わせる場合、爪部４１の接合を容易にすることを目的として、爪部４１が設けられているＢパーツ４ｂ側にガイド部４２を設けるのが好ましい。
【００４９】
［実施形態５］
図６は、本考案の電球ソケットキャップにおける第五の実施形態を示す模式図であり、（ａ）は平面図、（ｂ）は正面図、（ｃ）は右側面図、（ｄ）は（ａ）中のＥＥ’で切断したときの断面図である。尚、第三の実施形態と同じ部材については、同じ符号が付されている。
【００５０】
以下、本実施形態について、第三の実施形態との相違点を中心に説明する。
【００５１】
図６の電球ソケットキャップ５は、軸部１０と頭部２０との間に、円筒部４０がさらに設けられている点を除けば、図３の電球ソケットキャップ３と構成が共通している。
【００５２】
図６の電球ソケットキャップ５を構成する円筒部４０は、軸部１０と頭部２０とを連結する部材である。
【００５３】
図６の電球ソケットキャップ５は、例えば、軸部１０、円筒部４０及び頭部２０を一体成型することで製造することができるが、これに限定されるものではない。図７は、本実施形態（第五の実施形態）の変形例を示す模式図である。尚、図７において、（ａ）は、各部材の正面図であり、（ｂ）は、各部材の右側面図であり、（ｃ）は、各部材をそれぞれ装着した状態を表す断面図である。
【００５４】
図７（ａ）及び（ｂ）には、頭部２０を含むＡパーツ５ａ、円筒部４０を含むＢパーツ５ｂ及び軸部１０を含むＣパーツ５ｃが示されている。本実施形態に係る電球ソケットキャップ５は、図７に示されるように、軸部１０、円筒部４０又は頭部２０のいずれかを含むパーツ（５ａ、５ｂ、５ｃ）をそれぞれ作製し、Ａパーツ５ａ及びＢパーツ５ｂ、並びにＢパーツ５ｂ及びＣパーツ５ｃをそれぞれつなぎ合わせる方法でも作製することができる。ここでＡパーツ５ａ及びＢパーツ５ｂをつなぎ合わせる手段として、例えば、図７（ａ）〜（ｃ）に示されるように、円筒部４０の頭部２０側に設けられる雌ねじ部４５と頭部２０の円筒部４０側に設けられる雄ねじ部２６とで螺合する手段が挙げられる。またＢパーツ５ｂ及びＣパーツ５ｃをつなぎ合わせる手段として、例えば、図７（ａ）〜（ｃ）に示されるように、円筒部４０の軸部１０側に設けられる雄ねじ部４４と軸部１０の円筒部４０側に設けられる雌ねじ部１４とで螺合する手段が挙げられる。このように、雄ねじ部２６及び雌ねじ部４５、並びに雄ねじ部４４及び雌ねじ部１４を用いて、各部材をそれぞれつなぎ合わせる場合、電球ソケットキャップ５の電球ソケットからの取り外しの際に各部材のつなぎ合わせが外れないように雄ねじ部（２６、４４）にそれぞれねじ山を設けるのが望ましい。尚、この場合、雄ねじ部（２６、４４）のねじ山の向きは右ねじでもよいし左ねじでもよいが、右ねじにした場合は電球ソケットから取り外す際に、左ねじにした場合は電球ソケットへ取り付ける際に、雄ねじ部（２６、４４）を緩みにくくする目的で、雄ねじ部（２６，４４）のピッチを、少なくとも電球ソケットが有する雌ねじ部のピッチよりも細かくするのが好ましい。
【００５５】
また本実施形態において、各部材をつなぎ合わせる手段として、図７（ａ）〜（ｃ）で示される雄ねじ部２６及び雌ねじ部４５、並びに雄ねじ部４４及び雌ねじ部１４に代えて第四の実施形態で説明した爪部及び孔部の組み合わせを用いてもよい。
【符号の説明】
【００５６】
１（２、３、４、５）：電球ソケットキャップ、１０：軸部、１１：軸部の先端、１２：雄ねじ部、２０：頭部、２１：第一の回しつまみ部、２２：第二の回しつまみ部、４０：円筒部
【図１】
0003198779.tif 000003
【図２】
0003198779.tif 000004
【図３】
0003198779.tif 000005
【図４】
0003198779.tif 000006
【図５】
0003198779.tif 000007
【図６】
0003198779.tif 000008
【図７】
0003198779.tif 000009